【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
加熱調理を行うためそれぞれ独立して運転自在な複数の加熱手段と、
該複数の加熱手段のそれぞれに調理条件を入力する複数の入力手段と、
前記複数の加熱手段において、異常が発生したことを検知する検知手段と、
前記複数の入力手段から入力された前記加熱手段のそれぞれの調理条件と、検知手段が検知した検知情報とを表示する表示手段と、
前記加熱手段と前記表示手段とを制御する制御手段と、
を備え、
前記表示手段の表示画面上には、前記複数の加熱手段のそれぞれ対応した複数の表示エリアが用意され、
前記制御手段は、前記複数の加熱手段のうち運転されている加熱手段について、正常に運転されている状態では、当該加熱手段に対応した前記表示エリアに前記入力された調理条件を表示すると共に、異常が発生した状態では、異常が発生した前記加熱手段に対応した前記表示エリアに異常発生を表示することを特徴とする加熱調理器。
【請求項２】
前記入力手段は、調理メニューを選択し、加熱量を含む調理条件をキー入力するものであり、
前記制御手段は、少なくとも２つ以上の前記加熱手段の調理条件を同時に前記表示手段の画面上に表示するモードと、特定の前記加熱手段だけの調理条件を前記表示手段の画面上に表示するモードと、を選択可能に構成したことを特徴とする請求項１記載の加熱調理器。
【請求項３】
前記制御手段は、前記加熱手段の何れかに異常が発生した場合、当該異常に関係している加熱手段の調理条件が正常運転時に表示されていた表示エリアの面積を、より広い面積に拡大し、該拡大された表示エリアに前記発生した異常の情報を表示することを特徴とする請求項１又は２記載の加熱調理器。
【請求項４】
前記加熱手段のうち特定の加熱手段だけの調理条件を表示するモードが選択された場合、
前記制御手段は、少なくとも２つ以上の前記加熱手段の調理条件を同時に前記表示手段の画面上に表示する表示エリアの面積を、より広い面積に拡大し、該拡大された表示エリアに前記特定の加熱手段の調理条件を表示することを特徴とする請求項１又は２記載の加熱調理器。
【請求項５】
前記加熱手段の調理条件を表示する領域として、前記加熱手段の加熱量設定条件を表示する第一表示エリアと、前記加熱手段の調理時間又は設定温度を含む非加熱量設定条件を表示する第二表示エリアと、を備え、
前記加熱手段において異常が発生した場合、前記第二表示エリアに異常が発生したことを表示することを特徴とする請求項１又は２記載の加熱調理器。
【請求項６】
前記表示手段の表示画面上に、正常運転時に加熱調理の条件や環境、適切な使用方法、調理器具に関する参考情報を文字で表示するガイドエリアが、用意されてなることを特徴とする請求項１又は２記載の加熱調理器。
【請求項７】
前記表示手段には、前記加熱手段の調理条件に加えて前記加熱手段の稼動状態が表示され、
前記制御手段は、少なくとも２つ以上の前記加熱手段の調理条件および稼動状態を同時に前記表示手段の画面上に表示するモードと、前記加熱手段のうち特定の加熱手段だけの調理条件および稼動状態を前記表示手段の画面上に表示するモードと、を選択可能に構成したことを特徴とする請求項１又は２記載の加熱調理器。
【請求項８】
加熱調理を行うための複数の加熱手段と、
該加熱手段の加熱量や加熱時間等の調理条件を入力する入力手段と、
該入力手段から入力された前記加熱手段の調理条件を表示する表示手段と、
前記加熱手段の異常な運転状況を検知し、前記加熱手段と前記表示手段とを制御する制御手段と、を備え、
前記表示手段の表示画面上には、前記複数の加熱手段のそれぞれに対応した表示エリアが用意され、
前記制御手段は、正常に運転されている状態の前記加熱手段については、当該加熱手段に対応した前記表示エリアに当該加熱手段の加熱条件を表示するとともに、異常が発生した状態の前記加熱手段については、当該異常に関係した加熱手段に対応した前記表示エリアに当該異常が発生していることを表示するようにし、
前記制御手段は、前記発生した異常の状態の内容又は危険度に応じて二段階の対応が可能となるように構成され、
前記二段階の最初の段階では異常を是正するように加熱手段を制御し、
前記二段階の第二段階では異常が発生した加熱手段を停止すると共に、当該停止した加熱手段を前記表示手段にて表示させることを特徴とした加熱調理器。
【請求項９】
前記入力手段は、調理メニューを選択し、加熱量を含む調理条件をキー入力するものであり、
前記制御手段は、少なくとも２つ以上の前記加熱手段の調理条件を同時に前記表示手段の画面上に表示するモードと、前記加熱手段のうちの特定の加熱手段だけの調理条件を前記表示手段の画面上に表示するモードと、を選択可能に構成し、
前記制御手段は、異常停止させた加熱手段について、その停止直後から前記入力手段の入力を無効にして再稼動を防止することを特徴とする請求項８記載の加熱調理器。
【請求項１０】
前記表示手段には、前記複数の加熱手段の調理条件に加えて前記加熱手段の稼動状態が表示され、
前記制御手段は、少なくとも２つ以上の前記加熱手段の調理条件および稼動状態を同時に表示手段の画面上に表示するモードと、特定の加熱手段だけの調理条件および稼動状態を表示手段の画面上に表示するモードと、を選択可能に構成したことを特徴とする請求項８又は９記載の加熱調理器。
【請求項１１】
前記加熱調理を行うための複数の加熱手段と、
該加熱手段を用いて行う調理メニューを選択し、加熱量を含む制御条件をキー入力する入力手段と、
該入力手段から入力された制御条件を表示する表示手段と
異常な運転状況を検知し、加熱手段と表示手段を制御する制御手段とを備え、
前記表示手段には、前記加熱手段のそれぞれの加熱量に関する第一条件を表示する第一表示エリアと、  
前記加熱手段のそれぞれの調理時間および設定温度を含む非加熱量に関する第二条件及び異常時の温度や電流、電圧を含む物理量異常状態を表示する第二表示エリアと、
を設け、
前記第二条件が設定された特定の前記加熱手段において異常が発生した場合には、当該異常が発生した加熱手段に対応した前記第二表示エリアの面積を、他の前記加熱手段に対応した前記第二表示エリア面積よりも大きくし、
その拡大された第二表示エリアにおいて異常状態を表示すると同時に、他の前記加熱手段の前記第一表示エリアまたは前記第二表示エリアに一方または両方において、当該他の加熱手段の第一条件または第二条件の一方または両方を表示したことを特徴とする加熱調理器。
【請求項１２】
加熱調理を行うための複数の加熱手段と、
該加熱手段を用いて行う調理メニューを選択し、加熱量を含む制御条件をキー入力する入力手段と、
該入力手段から入力された制御条件を表示する表示手段と
異常な運転状況を検知し、前記加熱手段と前記表示手段を制御する制御手段と、
を備え、
前記制御手段は、前記表示手段の表示画面上に、前記加熱手段のそれぞれの加熱量に関する第一条件を表示する第一表示エリアと、前記加熱手段のそれぞれの調理時間、設定温度を含む非加熱量に関する第二条件及び異常時の温度や電流、電圧を含む物理量異常状態を表示する第二表示エリアと、
を設け、
前記制御手段は、前記第二条件の設定状態が設定された特定の加熱手段で異常が発生した場合には、当該異常が発生した加熱手段に対応した前記第二表示エリアの面積を、他の前記加熱手段に対応した第二表示エリアの面積よりも大きくし、
異常状態にある前記加熱手段の情報と、他の前記加熱手段の第一表示エリアまたは第二表示エリアに一方または両方に表示されていた当該他の加熱手段の第一条件又は第二条件の情報と、が同時に表示される第一画面と、
異常状態にある加熱手段の情報を表示する第二画面とを用意し、
前記第一画面または前記第二画面が、前記制御手段によって前記拡大した表示エリアに交互に表示されることを特徴とする加熱調理器。
【請求項１３】
前記第二画面では、異常状態にある前記加熱手段の情報が、前記第一画面における情報に参考情報や異常の発生原因、点検項目を含む関連情報を付加して表示されることを特徴とする請求項１２記載の加熱調理器。
【請求項１４】
前記制御手段は、異常状態の内容又は危険度に応じて二段階の対応が可能となるように構成され、
前記二段階の最初の段階では異常を是正するように前記加熱手段を制御し、前記二段階の第二段階では異常が発生した前記加熱手段を停止すると共に、当該停止した加熱手段を前記表示手段にて表示させることを特徴とした請求項１２又は１３記載の加熱調理器。
【請求項１５】
上面にトッププレートを備える本体と、
このトッププレートの下方に設置された加熱調理を行うための複数の加熱手段と、
該加熱手段の加熱条件を入力するために前記本体上面に設けた入力手段と、
該入力手段から入力された加熱条件を画面上に表示する表示手段と、
前記加熱手段の異常な運転状況を検知し、当該加熱手段及び表示手段を制御する制御手段とを備え、
前記表示手段の表示画面は、前記本体の上面から目視可能に構成され、かつ各加熱手段に対応した表示エリアが用意され、
前記制御手段は、加熱手段が正常に運転されている状態で前記表示エリアに加熱手段の加熱条件を表示するとともに、加熱手段に異常が発生した状態では当該異常に関係した加熱手段に対応した前記表示エリアにおいて、その異常発生を表示することを特徴とする加熱調理器。